(57)【要約】【課題】本発明は、制御情報の送信方法および受信端末を提供する。一部の１６ｍサブフレームにおいて制御情報を送信し、制御情報が配置される情報を１６ｍ端末に通知することにより、１６ｍ端末が、制御情報を含まず当該端末に関する資源が割り当てられていないサブフレームの位置でＲＦ送信をオフにすることができ、マイクロスリープモードに移行し、端末の消費電力が低減される。【解決手段】制御情報の下りサブフレームにおける配置情報を端末に通知するステップ（Ｓ２０２）と、所定のサブフレームと配置情報により決定された他のサブフレームとにおいて制御情報を端末に送信するステップ（Ｓ２０４）とを含む制御情報の送信方法。【選択図】図２
2012501118.tif 000002
【特許請求の範囲】
【請求項１】
制御情報の下りサブフレームにおける配置情報を端末に通知するステップと、
所定のサブフレームと前記配置情報により決定された他のサブフレームとにおいて、前記制御情報を端末に送信するステップと、
を含むことを特徴とする制御情報の送信方法。
【請求項２】
前記制御情報の下りサブフレームにおける配置情報を端末に通知するステップは、
メッセージを送信することで制御情報の下りサブフレームにおける配置情報を前記端末に通知するステップと、予めデフォルト値を前記端末に設定することで制御情報の下りサブフレームにおける配置情報を前記端末に通知するステップのいずれかであることを特徴とする請求項１に記載の制御情報の送信方法。
【請求項３】
前記所定のサブフレームは、上り／下り変換点の後の１番目の１６ｍ下りサブフレームであることを特徴とする請求項１に記載の制御情報の送信方法。
【請求項４】
前記所定のサブフレームは、
２つの変換点によるユニットフレームの場合、ユニットフレームの１番目の１６ｍ下りサブフレームであり、
４つの変換点によるユニットフレームの場合、ユニットフレームの１番目の１６ｍ下りサブフレームと上り／下り変換点の後の１番目の１６ｍ下りサブフレームであることを特徴とする請求項３に記載の制御情報の送信方法。
【請求項５】
前記配置情報は、サブフレーム間隔であることを特徴とする請求項１に記載の制御情報の送信方法。
【請求項６】
前記サブフレーム間隔は、１つ、２つ、３つまたは４つのサブフレームであることを特徴とする請求項５に記載の制御情報の送信方法。
【請求項７】
前記サブフレーム間隔は、ユニットフレームの上り／下りサブフレームの比率とサブフレームの配置情報とに応じて設定されることを特徴とする請求項５に記載の制御情報の送信方法。
【請求項８】
Ｎ番目の下りサブフレームにおいて送信される制御情報は、Ｎ番目の下りサブフレーム、Ｎ+１番目の下りサブフレーム、…、Ｎ+（Ｍ-１）番目の下りサブフレームに関する情報を含む（但し、Ｎは１以上の整数であり、Ｍは前記サブフレーム間隔である）ことを特徴とする請求項５に記載の制御情報の送信方法。
【請求項９】
前記配置情報は、サブフレームビットマップであることを特徴とする請求項１に記載の制御情報の送信方法。
【請求項１０】
前記サブフレームビットマップの長さは、下り／上りサブフレームの比率と１６ｍ／１６ｅサブフレームの配置情報とにより決定されることを特徴とする請求項９に記載の制御情報の送信方法。
【請求項１１】
前記サブフレームビットマップの長さは、
２つの変換点によるユニットフレームの場合、前記ユニットフレームの１６ｍ下りサブフレームの数から１を差し引いたものであり、
４つの変換点によるユニットフレームの場合、前記ユニットフレームの１６ｍ下りサブフレームの数から２を差し引いたものであることを特徴とする請求項１０に記載の制御情報の送信方法。
【請求項１２】
前記サブフレームビットマップは、１番目の下りサブフレームを除いて、前記制御情報を含む下りサブフレームに対応するビットマップのビットが１、前記制御情報を含まない下りサブフレームに対応するビットマップのビットが０に設定されるか、前記制御情報を含む下りサブフレームに対応するビットマップのビットが０、前記制御情報を含まない下りサブフレームに対応するビットマップのビットが１に設定されるように配置されていることを特徴とする請求項９または１１に記載の制御情報の送信方法。
【請求項１３】
Ｎ番目の下りサブフレームにおいて送信される制御情報は、Ｎ番目の下りサブフレーム、Ｎ+１番目の下りサブフレーム、…、Ｎ+Ｌ番目の下りサブフレームに関する情報を含む（但し、Ｎは１以上の整数であり、Ｌは前記Ｎ番目の下りサブフレームに対応するビットマップのビット１と次のビットマップのビット１との間のビットマップのビット０の数である）ことを特徴とする請求項１２に記載の制御情報の送信方法。
【請求項１４】
Ｎ番目の下りサブフレームにおいて送信される制御情報は、Ｎ番目の下りサブフレームに関する情報を含み、
２つの変換点によるユニットフレームの場合、前記所定のサブフレームに含まれる制御情報に、前記制御情報を送信しないサブフレームに関する情報が付いており、
４つの変換点によるユニットフレームの場合、２つの変換点の間の前記所定のサブフレームに含まれる制御情報に、前記２つの変換点の間の、前記制御情報を送信しない下りサブフレームに関する情報が付いていることを特徴とする請求項１２に記載の制御情報の送信方法。
【請求項１５】
請求項１ないし１４のいずれかに記載の方法により送信される制御情報を受信する制御情報の受信端末であって、
送信側から送信される制御情報の下りサブフレームにおける配置情報を取得する取得モジュールと、
前記送信側から送信されるユニットフレームを受信する受信モジュールと、
所定のサブフレームと前記配置情報に基づいて前記ユニットフレームの制御情報を復号化する復号化モジュールと、
を含むことを特徴とする制御情報の受信端末。
【請求項１６】
前記制御情報の下りサブフレームにおける配置情報であるデフォルト値を記憶する記憶モジュールをさらに含むことを特徴とする請求項１５に記載の制御情報の受信端末。
【請求項１７】
前記所定のサブフレームは、上り／下り変換点の後の１番目の１６ｍ下りサブフレームであることを特徴とする請求項１５に記載の制御情報の受信端末。
【請求項１８】
前記所定のサブフレームは、
２つの変換点によるユニットフレームの場合、ユニットフレームの１番目の下りサブフレームであり、
４つの変換点によるユニットフレームの場合、ユニットフレームの１番目の下りサブフレームと上り／下り変換点の後の１番目の下りサブフレームであることを特徴とする請求項１５に記載の制御情報の受信端末。
【請求項１９】
前記配置情報は、サブフレーム間隔であることを特徴とする請求項１５に記載の制御情報の受信端末。
【請求項２０】
前記配置情報は、サブフレームビットマップであることを特徴とする請求項１５に記載の制御情報の受信端末。
【請求項２１】
前記復号化モジュールは、
所定のサブフレームの前記制御情報を復号化する第１の復号化サブモジュールと、
前記配置情報により決定された他のサブフレームの制御情報を復号化する第２の復号化サブモジュールと、
を含むことを特徴とする請求項１５ないし２０のいずれかに記載の制御情報の受信端末。
【発明の詳細な説明】
【技術分野】
【０００１】
本発明は、通信分野に関し、具体的には、制御情報の送信方法および受信端末に関するものである。
【背景技術】
【０００２】
直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、「ＯＦＤＭ」と略称）技術は、高速に伝送されるデータストリームを、低速で並行に伝送されるデータストリームに変換することができ、マルチパスフェージングチャネル（Ｍｕｌｔｉｐａｔｈ  ｆａｄｉｎｇ  ｃｈａｎｎｅｌ）周波数選択性に対するシステムの敏感度を低減することができる。
【０００３】
ＯＦＤＭ技術にサイクリックプリフィックス（Ｃｙｃｌｉｃ  Ｐｒｅｆｉｘ）に導入することにより、ＯＦＤＭ技術の符号間干渉に抵抗する能力をさらに強めることができる。
【０００４】
現在、ＯＦＤＭ技術は、その帯域幅利用率が高く、簡単に実現可能であるなどの特徴により、無線通信分野に広く応用されてきている。直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、「ＯＦＤＭＡ」と略称）に基づくマイクロ波アクセス世界的運用（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭＡＸ」と略称）システムは、ＯＦＤＭ技術を用いたシステムの一つである。
【０００５】
また、通信技術の発展に伴って、ＩＥＥＥ８０２．１６ｅエアインターフェース規格によるモバイルＷｉＭＡＸシステムでは、広帯域モバイル通信に対する高伝送レート、高スループット、高速移動及び低遅延のユーザ要求を満たせなくなっている。
【０００６】
現在、ＩＥＥＥ８０２．１６ワーキンググループのタスクグループｍ（Ｔａｓｋ  Ｇｒｏｕｐ  ｍ、「ＴＧｍ」と略称）は、より高いピークレート、より高い周波数スペクトル効率及びセクタ容量をサポート可能な改良されたエアインタフェース規格８０２．１６ｍの制定に取り組みつつある。
【０００７】
１６ｍシステムにおける低遅延サービスの活用を満たすために、従来の１６ｍフレーム構成の設計には、主にスーパーフレーム、ユニットフレーム、サブフレームの３層設計構想が考慮に入れられている。当該３層設計の構成は、図１を参照することができる。
【０００８】
従来の１６ｍフレーム構成設計で提案されたスーパーフレーム構成では、図１に示すように、スーパーフレーム１０１は、長さが２０ｍｓで、４つの５ｍｓのユニットフレーム１０２からなり、スーパーフレーム制御情報１０３は、スーパーフレームの最初の幾つかの符号に位置され、ユニットフレーム１０２は、８つのサブフレーム１０４からなり、サブフレーム１０４は、下りサブフレームと上りサブフレームに分けられ、システムに応じて配置できる。サブフレーム１０４は、６つのＯＦＤＭ符号１０５から構成されている。
【０００９】
このようなスーパーフレーム、ユニットフレーム、サブフレームの３層フレーム構成のもとに、１６ｍ端末は、ユニットフレームにおける制御情報の配置情報を予め取得することができないため、ユニットフレームを受信したとき、ＲＦ（Ｒａｄｉｏ  Ｆｒｅｑｕｅｎｃｙ）送信を全てオンにすることでユニットフレームの制御情報を取得する必要があり、その結果、１６ｍ端末の消費電力が増えてしまう。
【発明の概要】
【発明が解決しようとする課題】
【００１０】
以上のように、従来、１６ｍ端末は、ユニットフレームにおける制御情報の配置情報を予め取得できないため、ユニットフレームを受信したときにＲＦ送信を全てオンにすることによりユニットフレームの制御情報を取得する必要があり、その結果、消費電力が過大になる。本発明は、上記の問題点に鑑みてなされたものであって、上記問題点の少なくとも１つを解消するために、改良した制御情報伝送方法および受信端末を提供することを目的とする。
【課題を解決するための手段】
【００１１】
本発明の一態様によれば、制御情報の下りサブフレームにおける配置情報を端末に通知するステップと、所定のサブフレームと配置情報により決定された他のサブフレームとにおいて制御情報を端末に送信するステップとを含む制御情報の送信方法が提供される。
【００１２】
前記制御情報の下りサブフレームにおける配置情報を端末に通知するステップは、メッセージを送信することで制御情報の下りサブフレームにおける配置情報を端末に通知するステップと、予めデフォルト値を端末に設定することで制御情報の下りサブフレームにおける配置情報を端末に通知するステップのいずれかである。
【００１３】
また、所定のサブフレームは、上り／下り変換点の後の１番目の１６ｍ下りサブフレームである。
【００１４】
所定のサブフレームは、２つの変換点によるユニットフレームの場合、ユニットフレームの１番目の１６ｍ下りサブフレームであり、４つの変換点によるユニットフレームの場合、ユニットフレームの１番目の１６ｍ下りサブフレームと上り／下り変換点の後の１番目の１６ｍ下りサブフレームであることが好ましい。
【００１５】
前記配置情報は、１つ、２つ、３つまたは４つのサブフレームであって、ユニットフレームの上り／下りサブフレームの比率とサブフレームの配置情報とに応じて設定されるサブフレーム間隔である。
【００１６】
Ｎ番目の下りサブフレームにおいて送信される制御情報は、Ｎ番目の下りサブフレーム、Ｎ+１番目の下りサブフレーム、…、Ｎ+（Ｍ-１）番目の下りサブフレームに関する情報を含む（但し、Ｎは１以上の整数であり、Ｍは前記サブフレーム間隔である）。
【００１７】
また、配置情報は、サブフレームビットマップである。
【００１８】
具体的には、下り／上りサブフレームの比率と１６ｍ／１６ｅサブフレームの配置情報とに基づいて、サブフレームビットマップの長さを決定する。
【００１９】
サブフレームビットマップの長さは、２つの変換点によるユニットフレームの場合、ユニットフレームの１６ｍ下りサブフレームの数から１を差し引いたものであり、４つの変換点によるユニットフレームの場合、ユニットフレームの１６ｍ下りサブフレームの数から２を差し引いたものである。
【００２０】
また、サブフレームビットマップは、１番目の下りサブフレームを除いて、制御情報を含む下りサブフレームに対応するビットマップのビットが１、制御情報を含まない下りサブフレームに対応するビットマップのビットが０に設定されるか、制御情報を含む下りサブフレームに対応するビットマップのビットが０、制御情報を含まない下りサブフレームに対応するビットマップのビットが１に設定されるように配置されている。
【００２１】
Ｎ番目の下りサブフレームにおいて送信される制御情報は、Ｎ番目の下りサブフレーム、Ｎ+１番目の下りサブフレーム、…、Ｎ+Ｌ番目の下りサブフレームに関する情報を含む（Ｎは１以上の整数であり、Ｌは前記Ｎ番目の下りサブフレームに対応するビットマップのビット１と次のビットマップのビット１との間のビットマップのビット０の数である）ことが好ましい。
【００２２】
Ｎ番目の下りサブフレームにおいて送信される制御情報は、Ｎ番目の下りサブフレームに関する情報を含み、２つの変換点によるユニットフレームの場合、所定のサブフレームに含まれる制御情報に、制御情報を送信しないサブフレームに関する情報が付いており、４つの変換点によるユニットフレームの場合、２つの変換点の間の所定のサブフレームに含まれる制御情報に、２つの変換点の間の、制御情報を送信しない下りサブフレームに関する情報が付いていることが好ましい。
【００２３】
本発明の他の態様によれば、前記送信方法の制御情報を受信する制御情報の受信端末であって、送信側から送信される制御情報の下りサブフレームにおける配置情報を取得する取得モジュールと、送信側から送信されるユニットフレームを受信する受信モジュールと、所定のサブフレームと配置情報に基づいてユニットフレームの制御情報を復号化する復号化モジュールとを含む制御情報の受信端末が提供される。
【００２４】
前記受信端末は、制御情報の下りサブフレームにおける配置情報であるデフォルト値を記憶する記憶モジュールをさらに含むことが好ましい。
【００２５】
前記所定のサブフレームは、上り／下り変換点の後の１番目の１６ｍ下りサブフレームである。
【００２６】
所定のサブフレームは、２つの変換点によるユニットフレームの場合、ユニットフレームの１番目の１６ｍ下りサブフレームであり、４つの変換点によるユニットフレームの場合、ユニットフレームの１番目の１６ｍ下りサブフレームと上り／下り変換点の後の１番目の１６ｍ下りサブフレームであることが好ましい。
【００２７】
配置情報は、サブフレーム間隔であることが好ましい。
【００２８】
配置情報は、サブフレームビットマップであることが好ましい。
【００２９】
また、前記復号化モジュールは、所定のサブフレームの制御情報を復号化する第１の復号化サブモジュールと、配置情報により決定された他のサブフレームの制御情報を復号化する第２の復号化サブモジュールとを含む。
【発明の効果】
【００３０】
上述した技術アイデアのいずれかによれば、本発明では、一部の１６ｍサブフレームにおいて制御情報を送信し、制御情報が配置される情報を１６ｍ端末に通知することにより、１６ｍ端末が、制御情報を含まず当該端末に関する資源が割り当てられていないサブフレームの位置でＲＦ送信をオフにすることができ、マイクロスリープモードに移行し、端末の消費電力が低減されている。
【００３１】
ここで説明される図面は、本発明を更に理解するためのものであり、本出願の一部を構成する。また、本発明の実施例及びその説明は、本発明を解釈するもので、本発明を不当に限定するものではない。
【図面の簡単な説明】
【００３２】
【図１】図１は、関連技術の１６ｍフレーム構成設計で提案されたスーパーフレームの構成を示す図である。
【図２】図２は、本発明の一実施例に係る制御情報の送信方法の流れ図である。
【図３ａ】図３ａは、本発明の一実施例に係る、２つの変換点によるユニットフレームの場合にサブフレーム間隔に基づいてユーザ専用制御情報を送信する方法を示す図である。
【図３ｂ】図３ｂは、本発明の一実施例に係る、２つの変換点によるユニットフレームの場合にサブフレーム間隔に基づいてユーザ専用制御情報を送信する方法を示す図である。
【図３ｃ】図３ｃは、本発明の一実施例に係る、２つの変換点によるユニットフレームの場合にサブフレーム間隔に基づいてユーザ専用制御情報を送信する方法を示す図である。
【図４ａ】図４ａは、本発明の一実施例に係る、４つの変換点によるユニットフレームの場合にサブフレーム間隔に基づいてユーザ専用制御情報を送信する方法を示す図である。
【図４ｂ】図４ｂは、本発明の一実施例に係る、４つの変換点によるユニットフレームの場合にサブフレーム間隔に基づいてユーザ専用制御情報を送信する方法を示す図である。
【図４ｃ】図４ｃは、本発明の一実施例に係る、４つの変換点によるユニットフレームの場合にサブフレーム間隔に基づいてユーザ専用制御情報を送信する方法を示す図である。
【図５ａ】図５ａは、本発明の一実施例に係る、２つの変換点によるユニットフレームの場合に１６ｍサブフレームビットマップに基づいてユーザ専用制御情報を送信する一態様を示す図である。
【図５ｂ】図５ｂは、本発明の一実施例に係る、２つの変換点によるユニットフレームの場合に１６ｍサブフレームビットマップに基づいてユーザ専用制御情報を送信する一態様を示す図である。
【図５ｃ】図５ｃは、本発明の一実施例に係る、２つの変換点によるユニットフレームの場合に１６ｍサブフレームビットマップに基づいてユーザ専用制御情報を送信する一態様を示す図である。
【図６ａ】図６ａは、本発明の一実施例に係る、４つの変換点によるユニットフレームの場合に１６ｍサブフレームビットマップに基づいてユーザ専用制御情報を送信する一態様を示す図である。
【図６ｂ】図６ｂは、本発明の一実施例に係る、４つの変換点によるユニットフレームの場合に１６ｍサブフレームビットマップに基づいてユーザ専用制御情報を送信する一態様を示す図である。
【図６ｃ】図６ｃは、本発明の一実施例に係る、４つの変換点によるユニットフレームの場合に１６ｍサブフレームビットマップに基づいてユーザ専用制御情報を送信する一態様を示す図である。
【図７】図７は、本発明の一実施例に係る、２つの変換点によるユニットフレームの場合に１６ｍサブフレームビットマップに基づいてユーザ専用制御情報を送信する他の態様を示す図である。
【図８】図８は、本発明の一実施例に係る、４つの変換点によるユニットフレームの場合に１６ｍサブフレームビットマップに基づいてユーザ専用制御情報を送信する他の態様を示す図である。
【図９】図９は、本発明の一実施例に係る制御情報の受信端末を示すブロック図である。
【発明を実施するための形態】
【００３３】
＜機能の概略＞
本発明の実施例に係る技術アイデアでは、システムのサービス遅延性能を得るため、一部の１６ｍサブフレームにおいて制御情報を送信し、当該一部の１６ｍサブフレームが配置される情報を端末に通知することにより、端末が、制御情報を含まず且つ当該端末に関する資源が割り当てられていないサブフレームの位置でＲＦ送信をオフにすることができ、マイクロスリープモードに移行し、端末の消費電力が低減されるようにしている。
【００３４】
以下、図面を参照しながら実施例に基づいて本発明を詳細に説明する。なお、影響がない場合に、本願の実施例及び実施例の特徴同士の組み合わせが可能である。
【００３５】
＜方法実施例＞
本発明の実施例は、図１に示すフレーム構成をもとに、従来の３層フレーム構成の１６ｍ端末の消費電力が過大になるという問題に対して、システムのサービス遅延性能を得るため、一部の１６ｍサブフレームにおいて制御情報を送信し、当該一部の１６ｍサブフレームが配置される情報を端末に通知することにより、端末が、制御情報を含まず且つ当該端末に関する資源が割り当てられていないサブフレームの位置でＲＦ送信をオフにすることができ、マイクロスリープモードに移行し、端末の消費電力が低減されるようにしている制御情報の送信方法を提供するものである。以下説明するサブフレームは、いずれも１６ｍサブフレームである。以下、図２を参照しながら当該方法について詳述する。当該方法は、図２に示すように、ステップＳ２０２〜ステップＳ２０４を含む。
【００３６】
ステップＳ２０２において、制御情報の下りサブフレームにおける配置情報を端末に通知する。具体的には、メッセージを送信することで制御情報の下りサブフレームにおける配置情報を端末に通知することができる。送信されたメッセージは制御情報の下りサブフレームにおける配置情報を含んでおり、或いは、予めデフォルト値を端末に設定することで制御情報の下りサブフレームにおける配置情報を端末に通知し、即ち、当該デフォルト値は、制御情報の下りサブフレームにおける配置情報であり、上記のメッセージで端末に通知する必要がない。
【００３７】
ステップＳ２０４において、所定のサブフレームと配置情報により決定された他のサブフレームとにおいて、制御情報を端末に送信する。
【００３８】
本発明の実施例において、制御情報は、例えばスケジューリング割当、電力制御またはＡＣＫ／ＮＡＣＫ（肯定応答／否定応答）情報のような、１又は複数のユーザに送信される所定の制御情報であるユーザ専用制御情報が好ましい。以下は、ユーザ専用制御情報によって本発明の実施例について詳述する。
【００３９】
ユーザ専用制御情報を含む一定のサブフレーム（すなわち、上記の所定のサブフレーム）は、上り／下り変換点の後の１番目の１６ｍ下りサブフレーム、すなわち、各１６ｍユニットフレーム（以下「ユニットフレーム」と略称）の１番目の１６ｍ下りサブフレームである。４つの変換点によるユニットフレームでは、ユーザ専用制御情報を含む一定のサブフレームは、上り／下り変換点の後の１番目の１６ｍ下りサブフレームをさらに含む。変換点とは、サブフレーム伝送方向の変化点である。例えば、上りサブフレームから下りサブフレームへの変換点は、上り／下り変換点、下りサブフレームから上りサブフレームへの変換点は、下り／上り変換点として表されている。
【００４０】
また、上記配置情報は、サブフレーム間隔またはサブフレームビットマップであることができることが好ましい。すなわち、ユニットフレームの他のユーザ専用制御情報の送信位置は、ユーザ専用制御情報を送信するサブフレーム間隔、或いは、ユーザ専用制御情報の送信位置を指示する１６ｍサブフレームビットマップにより指示することができる。
【００４１】
上記配置情報がサブフレーム間隔の場合、ここのサブフレーム間隔は、システムデフォルト（例えば、サブフレーム間隔は１つの１６ｍサブフレームである）またはシステムバックグラウンドにより設定できる。サブフレーム間隔がシステムデフォルトにより設定される場合、サブフレーム間隔情報は、スーパーフレーム制御ヘッドに設けられて端末に送信されるか、スーパーフレームヘッド以外の位置において放送で端末に通知されることができる。サブフレーム間隔がシステムバックグラウンドにより設定される場合は、サブフレーム間隔情報は、システムにより放送で端末に通知することができる。
【００４２】
ユニットフレームの上り／下りサブフレームの比率およびサブフレームの配置情報によって、システムバックグラウンドが設定可能なサブフレーム間隔は、１つ、２つ、３つまたは４つのサブフレームである。例えば、サブフレーム間隔は、２つの変換点によるユニットフレームでは３または４に、４つの変換点によるユニットフレームでは３に設定することができる。
【００４３】
また、Ｎ番目の下りサブフレームにおいて送信される制御情報は、Ｎ番目の下りサブフレーム、Ｎ+１番目の下りサブフレーム、…、Ｎ+（Ｍ-１）番目の下りサブフレームに関する情報を含む。ただし、Ｎは、１以上の整数、Ｍは、サブフレーム間隔である。換言すれば、Ｎ番目のサブフレームのユーザ専用制御情報は、Ｎ番目のサブフレーム、Ｎ+１番目の下りサブフレーム、…、Ｎ+（Ｍ-１）番目のサブフレームにおけるユーザのデータスケジューリング、電力制御などの情報を含む。上記下りサブフレームに関する情報は、ユーザのデータスケジューリング、電力制御などの情報であってもよい。すなわち、ユーザ専用制御情報を含まない１６ｍサブフレームのデータスケジューリング、電力制御などの情報は、当該サブフレームの直前の、ユーザ専用制御情報を含むサブフレームにおいて指示される。
【００４４】
以下、図３ａ、３ｂ、３ｃおよび図４ａ、４ｂ、４ｃを参照しながら、２つの変換点によるユニットフレームの場合と４つの変換点によるユニットフレームの場合のそれぞれに、サブフレーム間隔に基づいてユニットフレームの他のユーザ専用制御情報の送信位置を設定することについて詳述する。
【００４５】
図３ａ、３ｂ、３ｃは、２つの変換点によるユニットフレームの場合の、サブフレーム間隔に基づくユーザ専用制御情報の送信方法を示す図である。サブフレーム間隔Ｍは、システム配置に要求される下り／上りサブフレームの比率と、１６ｍ／１６ｅサブフレームの配置情報とに応じて設定できる。サブフレーム間隔のデフォルトは、１に設定され、通常は、２に設定されてもよい。ユニットフレームのうち１６ｍ下りサブフレームの数が多く、サービス遅延の要求が低い場合には、システムは、サブフレーム間隔を３又は４に設けることができる。Ｎ番目のサブフレームのユーザ専用制御情報は、Ｎ番目のサブフレーム、Ｎ+１番目の下りサブフレーム、…、Ｎ+（Ｍ-１）番目のサブフレームにおけるユーザのデータスケジューリング、電力制御などの情報を含む。ユーザ専用制御情報を含まない１６ｍサブフレームのデータスケジューリング、電力制御などの情報は、当該サブフレームの直前の、ユーザ専用制御情報を含むサブフレームにおいて指示される。
【００４６】
１番目の１６ｍ下りサブフレームがユーザ専用制御情報を含むため、ユニットフレームのうち、ユーザ専用制御情報を含む１６ｍ下りサブフレームは、下りサブフレーム１、Ｍ+１、２Ｍ+１、…である。ただし、Ｍは、ユーザ専用制御情報を含む１６ｍサブフレームの間隔である。図示のように、２つの変換点による５ｍｓのユニットフレームにおいて、下り／上り変換点は、３０２、上り／下り変換点は、３０３、下り／上りサブフレームの比率は、６：２であり、１６ｍ下りサブフレームが３つ含まれている。
【００４７】
図３ａは、サブフレーム間隔が１の場合のユーザ専用制御情報の送信を示す図である。１６ｍ下りサブフレーム１、１６ｍ下りサブフレーム２、１６ｍ下りサブフレーム３、すなわち、各々の１６ｍ下りサブフレームは、ユーザ専用制御情報３０１を含む。ユーザ専用制御情報は、各々のサブフレーム自体のデータスケジューリング、電力制御などの情報のみを指示する。
【００４８】
図３ｂは、サブフレーム間隔が２の場合のユーザ専用制御情報の送信を示す図である。１６ｍ下りサブフレーム１と１６ｍ下りサブフレーム３は、ユーザ専用制御情報３０１を含むが、１６ｍ下りサブフレーム２は、ユーザ専用制御情報を含まない。１６ｍ下りサブフレーム１のユーザ専用制御情報は、１６ｍ下りサブフレーム１と１６ｍ下りサブフレーム２におけるユーザのデータスケジューリング、電力制御などの情報を含み、１６ｍ下りサブフレーム３のユーザ専用制御情報は、下りサブフレーム３におけるユーザのデータスケジューリング、電力制御などの情報のみを含む。
【００４９】
図３ｃは、サブフレーム間隔が３の場合のユーザ専用制御情報の送信を示す図である。１６ｍ下りサブフレーム１だけがユーザ専用制御情報３０１を含み、１６ｍ下りサブフレーム２と１６ｍ下りサブフレーム３は、ユーザ専用制御情報を含まない。１６ｍ下りサブフレーム１のユーザ専用制御情報は、１６ｍ下りサブフレーム１、１６ｍ下りサブフレーム２、１６ｍ下りサブフレーム３におけるユーザのデータスケジューリング、電力制御などの情報を含む。
【００５０】
図４ａ、４ｂ、４ｃは、４つの変換点の場合の、サブフレーム間隔に基づくユーザ専用制御情報の送信方法を示す図である。サブフレーム間隔Ｍは、２つの変換点の場合と同様に配置されている。上り／下り変換点の後の１番目の１６ｍ下りサブフレーム（下りサブフレーム１と下りサブフレームｉとする）がユーザ専用制御情報を含むため、ユニットフレームのうち、ユーザ専用制御情報を含む１６ｍ下りサブフレームは、下りサブフレーム１、Ｍ+１、２Ｍ+１、…、ｉ、Ｍ+ｉ、２Ｍ+ｉ、…である。図４ａ、４ｂ、４ｃに示すように、４つの変換点による５ｍｓのユニットフレームにおいて、下り／上り変換点は、４０２と４０４、上り／下り変換点は、４０３と４０５、下り／上りサブフレームの比率は、６：２であり、ユニットフレームには、１６ｍ下りサブフレームが６つ含まれている。上り／下り変換点に隣接する１６ｍ下りサブフレーム１と１６ｍ下りサブフレーム４は、ユーザ専用制御情報を含むため、１６ｍ下りサブフレームＭ+１、２Ｍ+１、…、１６ｍ下りサブフレーム４、Ｍ+４、２Ｍ+４は、ユーザ専用制御情報を含む。
【００５１】
図４ａは、サブフレーム間隔が１の場合のユーザ専用制御情報の送信を示す図である。１６ｍ下りサブフレーム１、２、３、４、５、６、すなわち、各々の１６ｍ下りサブフレームは、ユーザ専用制御情報４０１を含む。ユーザ専用制御情報は、各々のサブフレーム自体のデータスケジューリング、電力制御などの情報のみを指示する。
【００５２】
図４ｂは、サブフレーム間隔が２の場合のユーザ専用制御情報の送信を示す図である。１６ｍ下りサブフレーム１、３、４、６は、ユーザ専用制御情報４０１を含むが、１６ｍ下りサブフレーム２、５は、ユーザ専用制御情報を含まない。１６ｍ下りサブフレーム１のユーザ専用制御情報は、１６ｍ下りサブフレーム１と１６ｍ下りサブフレーム２におけるユーザのデータスケジューリング、電力制御などの情報を含み、１６ｍ下りサブフレーム４のユーザ専用制御情報は、１６ｍ下りサブフレーム４と１６ｍ下りサブフレーム５におけるユーザのデータスケジューリング、電力制御などの情報を含み、１６ｍ下りサブフレーム３、６のユーザ専用制御情報は、それぞれ自体におけるユーザのデータスケジューリング、電力制御などの情報のみを含む。
【００５３】
図４ｃは、サブフレーム間隔が３の場合のユーザ専用制御情報の送信を示す図である。１６ｍ下りサブフレーム１、４は、ユーザ専用制御情報を含むが、１６ｍ下りサブフレーム２、３、５、６はいずれもユーザ専用制御情報を含まない。１６ｍ下りサブフレーム１のユーザ専用制御情報は、１６ｍ下りサブフレーム１、２、３におけるユーザのデータスケジューリング、電力制御などの情報を含み、１６ｍ下りサブフレーム４のユーザ専用制御情報は、１６ｍ下りサブフレーム４、５、６におけるユーザのデータスケジューリング、電力制御などの情報を含む。
【００５４】
サブフレームビットマップによりユニットフレームの他のユーザ専用制御情報の送信位置を設ける場合に、システムは、下り／上りサブフレームの比率と、１６ｍ／１６ｅサブフレームの配置情報とにより、ユーザ専用制御情報の送信位置を指示する１６ｍサブフレームビットマップの長さを決定する。
【００５５】
２つの変換点によるユニットフレームの場合、ユニットフレームの１番目の１６ｍ下りサブフレームが必ずユーザ専用制御情報を含むため、１６ｍサブフレームビットマップの長さは、ユニットフレームの１６ｍ下りサブフレームの数から１を差し引いたものである。対応するビットマップのビットは、１番目の１６ｍ下りサブフレームを除いて、ユーザ専用制御情報を含む１６ｍ下りサブフレームに対応するビットマップのビットが１、ユーザ専用制御情報を含まない１６ｍ下りサブフレームに対応するビットマップのビットが０に設定されるか、ユーザ専用制御情報を含む１６ｍ下りサブフレームに対応するビットマップのビットが０、ユーザ専用制御情報を含まない１６ｍ下りサブフレームに対応するビットマップのビットが１に設定されるように配置されている。
【００５６】
４つの変換点によるユニットフレームについて、ユニットフレームの１番目の１６ｍ下りサブフレームと、上り／下り変換点の後の１番目の１６ｍ下りサブフレームとが必ずユーザ専用制御情報を含むため、１６ｍサブフレームビットマップの長さは、ユニットフレームの１６ｍ下りサブフレームの数から２を差し引いたものである。対応するビットマップのビットは、ユニットフレームの１番目の１６ｍ下りサブフレームと、上り／下り変換点の後の１番目の１６ｍ下りサブフレームとを除いて、ユーザ専用制御情報を含む１６ｍ下りサブフレームに対応するビットマップのビット（「ビットマップ」と略称）が１、ユーザ専用制御情報を含まない１６ｍ下りサブフレームに対応するビットマップのビットが０に設定されるか、ユーザ専用制御情報を含む１６ｍ下りサブフレームに対応するビットマップのビットが０、ユーザ専用制御情報を含まない１６ｍ下りサブフレームに対応するビットマップのビットが１に設定されるように配置されている。
【００５７】
また、１６ｍサブフレームビットマップは、さらにユーザ専用制御情報の指示を表す。その方法としては、Ｎ番目の下りサブフレームにおいて送信される制御情報が、Ｎ番目の下りサブフレーム、Ｎ+１番目の下りサブフレーム、…、Ｎ+Ｌ番目の下りサブフレームに関する情報を含む（但し、Ｎは１以上の整数であり、ＬはＮ番目の下りサブフレームに対応するビットマップのビット１と次のビットマップのビット１との間のビットマップのビット０の数である）ことが挙げられる。
【００５８】
すなわち、本実施例のサブフレームビットマップでは、サブフレームＮに対応するビットマップが１、サブフレームＮに隣接する後続のＬ個のサブフレームに対応するビットマップが０である場合、サブフレームＮは、ユーザ専用制御情報を含み、サブフレームＮに隣接する後続のＬ個のサブフレームは、ユーザ専用制御情報を含まず、サブフレームＮのユーザ専用制御情報は、サブフレームＮおよびそれに隣接する後続のＬ個のサブフレームのデータスケジューリング、電力制御などの情報を指示することが示されている。サブフレームにユーザ専用制御情報が含まれない場合に、当該サブフレームのデータスケジューリング、電力制御などの情報は、当該サブフレームの直前の、ユーザ専用制御情報を含むサブフレームのユーザ専用制御情報において指示される。以下、図５ａ、５ｂ、５ｃおよび図６ａ、６ｂ、６ｃを参照しながら２つの変換点によるユニットフレームの場合と４つの変換点によるユニットフレームの場合のそれぞれについて詳細に説明する。以下説明するサブフレームは、いずれも１６ｍ下りサブフレームである。
【００５９】
図５ａ、５ｂ、５ｃは、２つの変換点によるユニットフレームの場合に１６ｍサブフレームビットマップに基づいてユーザ専用制御情報を送信する一態様を示す図である。２つの変換点によるユニットフレームのシステム配置では、システムは、下り／上りサブフレームの比率と１６ｍ／１６ｅサブフレームの配置情報とにより、ユーザ専用制御情報の送信位置を指示する１６ｍサブフレームビットマップの長さを決定する。ユニットフレームの１番目の１６ｍ下りサブフレームが必ずユーザ専用制御情報５０１を含むため、ビットマップの長さは、ユニットフレームの１６ｍ下りサブフレームの数から１を差し引いたものである。ユーザ専用制御情報を含む１６ｍ下りサブフレームについて、対応するビットマップのビットが１、ユーザ専用制御情報を含まない１６ｍ下りサブフレームについて、対応するビットマップのビットが０に設定されている。サブフレームＮに対応するビットマップが１、サブフレームＮに隣接する後続のＬ個のサブフレームに対応するビットマップが０であると、サブフレームＮのユーザ専用制御情報は、サブフレームＮおよびそれに隣接する後続のＬ個のサブフレームのデータスケジューリング、電力制御などの情報を指示する。サブフレームにユーザ専用制御情報が含まれないと、当該サブフレームのデータスケジューリング、電力制御などの情報は、当該サブフレームの直前の、ユーザ専用制御情報を含むサブフレームのユーザ専用制御情報において指示される。
【００６０】
図５ａ、５ｂ、５ｃに示すように、２つの変換点による５ｍｓのユニットフレームにおいて、下り／上り変換点が５０２、上り／下り変換点が５０３、下り／上りサブフレームの比率が６：２であり、１６ｍ下りサブフレームが３つ含まれているため、ユーザ専用制御情報の送信位置を示す１６ｍサブフレームビットマップの長さは、２ビットである。
【００６１】
図５ａに示すように、２ビットのサブフレームビットマップが「１１」であるため、１６ｍ下りサブフレーム１のほかに、１６ｍ下りサブフレーム２と３もユーザ専用制御情報を含むことを示す。各サブフレームのユーザ専用制御情報は、当該サブフレームにおけるユーザのデータスケジューリング、電力制御などの情報のみを含む。
【００６２】
図５ｂに示すように、２ビットのサブフレームビットマップは「０１」であるため、１６ｍ下りサブフレーム１のほかに、１６ｍ下りサブフレーム３もユーザ専用制御情報を含むことを示す。１６ｍ下りサブフレーム１のユーザ専用制御情報は、１６ｍ下りサブフレーム１と１６ｍ下りサブフレーム２におけるユーザのデータスケジューリング、電力制御などの情報を含み、１６ｍ下りサブフレーム３のユーザ専用制御情報は、当該下りサブフレーム３におけるユーザのデータスケジューリング、電力制御などの情報のみを含む。
【００６３】
図５ｃに示すように、２ビットのサブフレームビットマップが「１０」であるため、１６ｍ下りサブフレーム１のほかに、１６ｍ下りサブフレーム２もユーザ専用制御情報を含む一方、１６ｍ下りサブフレーム３はユーザ専用制御情報を含まないことを示す。１６ｍ下りサブフレーム１のユーザ専用制御情報は、１６ｍ下りサブフレーム１のデータスケジューリング、電力制御などの情報を含み、１６ｍ下りサブフレーム２のユーザ専用制御情報は、１６ｍ下りサブフレーム２と３におけるユーザのデータスケジューリング、電力制御などの情報を含む。
【００６４】
４つの変換点によるユニットフレームの場合、図６ａ、６ｂ、６ｃに示すように、４つの変換点によるシステム配置では、システムは、下り／上りサブフレームの比率により、ユーザ専用制御情報の送信位置を指示する１６ｍサブフレームビットマップの長さを決定する。ユニットフレームの１番目の１６ｍ下りサブフレームと上り／下り変換点の後の１番目の１６ｍ下りサブフレームとが必ずユーザ専用制御情報６０１を含むため、ビットマップの長さは、ユニットフレームの１６ｍ下りサブフレームの数から２を差し引いたものである。ユーザ専用制御情報を含む１６ｍ下りサブフレームの場合、対応するビットマップのビットが１、そうでない場合は、０に設定されている（ビットマップのビット配置は上述の通りである）。サブフレームＮに対応するビットマップが１、サブフレームＮに隣接する後続のＬ個のサブフレームに対応するビットマップが０であると、サブフレームＮのユーザ専用制御情報は、サブフレームＮおよびそれに隣接する後続のＬ個のサブフレームのデータスケジューリング、電力制御などの情報を指示する。サブフレームにユーザ専用制御情報が含まれないと、当該サブフレームのデータスケジューリング情報は、当該サブフレームの直前の、ユーザ専用制御情報を含むサブフレームのユーザ専用制御情報において指示される。図６ａ、６ｂ、６ｃに示すように、４つの変換点による５ｍｓのユニットフレームにおいて、下り／上り変換点が６０２、６０４、上り／下り変換点が６０３、６０５、下り／上りサブフレームの比率が６：２であり、ユニットフレームには１６ｍ下りサブフレームが６つ含まれているため、ユーザ専用制御情報の送信位置を示す１６ｍサブフレームビットマップの長さは、４ビットである。
【００６５】
図６ａに示すように、４ビットのサブフレームビットマップが「１１１１」であるため、１６ｍ下りサブフレーム１と４のほかに、１６ｍ下りサブフレーム２、３、５、６もそれぞれユーザ専用制御情報を含むことを示す。各サブフレームのユーザ専用制御情報は、当該サブフレームにおけるユーザのデータスケジューリング、電力制御などの情報のみを含む。
【００６６】
図６ｂに示すように、４ビットのサブフレームビットマップが「０１１０」であるため、１６ｍ下りサブフレーム１と４のほかに、１６ｍ下りサブフレーム３と５もユーザ専用制御情報を含むことを示す。下りサブフレーム１のユーザ専用制御情報は、サブフレーム１と２におけるユーザのデータスケジューリング、電力制御などの情報を含み、下りサブフレーム５のユーザ専用制御情報は、サブフレーム５と６におけるユーザのデータスケジューリング、電力制御などの情報を含み、下りサブフレーム３と４のユーザ専用制御情報は、それぞれ自体のユーザのデータスケジューリング、電力制御などの情報のみを含む。
【００６７】
図６ｃに示すように、４ビットのサブフレームビットマップが「１０００」であるため、１６ｍ下りサブフレーム１と４のほかに、１６ｍ下りサブフレーム２もユーザ専用制御情報を含むことを示す。下りサブフレーム２のユーザ専用制御情報は、下りサブフレーム２と３におけるユーザのデータスケジューリング、電力制御などの情報を含み、下りサブフレーム４のユーザ専用制御情報は、サブフレーム４、５、６におけるユーザのデータスケジューリング、電力制御などの情報を含むが、下りサブフレーム１のユーザ専用制御情報は、当該サブフレームのユーザのデータスケジューリング、電力制御などの情報のみを含む。
【００６８】
また、１６ｍサブフレームビットマップによりユーザ専用制御情報の指示を表す方法として、Ｎ番目の下りサブフレームにおいて送信される制御情報がＮ番目の下りサブフレームに関する情報を含み、２つの変換点によるユニットフレームの場合、所定のサブフレームに含まれる制御情報に、制御情報を送信しない下りサブフレームに関する情報が付いており、４つの変換点によるユニットの場合、２つの変換点の間の所定のサブフレームに含まれる制御情報に、これら２つの変換点の間の、制御情報を送信しない下りサブフレームに関する情報が付いていることも挙げられる。
【００６９】
すなわち、サブフレームＮに対応するビットマップが１の場合、ユーザ専用制御情報を含むサブフレームＮは、当該サブフレーム（サブフレームＮ）のデータスケジューリング、電力制御などの情報のみを指示する。２つの変換点によるユニットフレームにおいて、対応するビットマップが０でユーザ専用制御情報を含まないサブフレームのデータスケジューリング、電力制御などの情報は、いずれもユニットフレームの１番目の１６ｍ下りサブフレーム（すなわち、所定のサブフレーム）のユーザ専用制御情報により指示される。４つの変換点によるユニットフレームでは、ユーザ専用制御情報を含まないサブフレームのデータスケジューリング、電力制御などの情報は、いずれも、当該サブフレームの直前のものであって上り／下り変換点の後の１番目の１６ｍ下りサブフレームにより指示される。以下、図７、図８を参照しながら、２つの変換点によるユニットフレームの場合と４つの変換点によるユニットフレームの場合のそれぞれについて詳細に説明する。以下説明するサブフレームはいずれも１６ｍ下りサブフレームである。
【００７０】
図７は、２つの変換点によるユニットフレームの場合に１６ｍサブフレームビットマップに基づいてユーザ専用制御情報を送信する他の態様を示す図である。図７に示すように、２ビットのサブフレームビットマップが「１０」であるため、１６ｍ下りサブフレーム１のほかに、１６ｍ下りサブフレーム２もユーザ専用制御情報を含む一方、１６ｍ下りサブフレーム３は、ユーザ専用制御情報を含まないことを示す。１６ｍ下りサブフレーム２のユーザ専用制御情報は、当該サブフレームにおけるユーザのデータスケジューリング、電力制御などの情報のみを指示し、１６ｍ下りサブフレーム１のユーザ専用制御情報は、１６ｍ下りサブフレーム１と１６ｍ下りサブフレーム３におけるユーザのデータスケジューリング、電力制御などの情報を含む。
【００７１】
４つの変換点によるユニットフレームの場合、図８に示すように、４つの変換点による５ｍｓのユニットフレームにおいて、下り／上り変換点が８０２、８０４、上り／下り変換点が８０３、８０５、下り／上りサブフレームの比率が６：２であり、ユニットフレームには、１６ｍ下りサブフレームが６つ含まれているため、ユーザ専用制御情報の送信位置を示す１６ｍサブフレームビットマップの長さは、４ビットである。４ビットの１６ｍサブフレームビットマップが「０１００」であるため、１番目の下りサブフレーム１と上り／下り変換点の後の１番目の下りサブフレーム５のほかに、１６ｍ下りサブフレーム３もユーザ専用制御情報を含む。１６ｍ下りサブフレーム３のユーザ専用制御情報は、当該サブフレームにおけるユーザのデータスケジューリング、電力制御などの情報のみを指示し、１６ｍ下りサブフレーム２と下りサブフレーム４におけるユーザのデータスケジューリング、電力制御などの情報は、１６ｍ下りサブフレーム１のユーザ専用制御情報において指示され、１６ｍ下りサブフレーム６におけるユーザのデータスケジューリング、電力制御などの情報は、１６ｍ下りサブフレーム５のユーザ専用制御情報において指示される。
【００７２】
以上の説明から分かるように、一部の１６ｍサブフレームにおいてユーザ専用制御情報を送信し、上記配置状況を端末に通知することにより、端末が、ＲＦ送信を選択的にオンにすることができ、すなわち、ユーザ専用制御情報を含まず且つ当該端末に関する資源が割り当てられていないサブフレームの位置でＲＦ送信をオフにすることができ、マイクロスリープモードに移行するようにしている。これにより、端末の消費電力を低減することができる。
【００７３】
＜装置実施例＞
本実施例によれば、上記方法実施例のユーザ専用制御情報を受信することが好ましい制御情報の受信端末が提供される。図９は、当該受信端末のブロック図である。当該受信端末は、図９に示すように、主に取得モジュール１０と、受信モジュール２０と、復号化モジュール３０とを備える。以下、図９を参照しながら各部を詳述する。
【００７４】
取得モジュール１０は、送信側から送信される制御情報の下りサブフレームにおける配置情報を取得するものである。ここの配置情報とは、好ましくは、ユニットフレームにおける制御情報の位置を配置するためのサブフレーム間隔または１６ｍサブフレームビットマップ情報をいう。また、制御情報は、ユーザ専用制御情報であってもよい。
【００７５】
当該端末は、具体的な実施において、制御情報の下りサブフレームにおける配置情報であるデフォルト値を記憶する記憶モジュール（図示せず）を備えることもできる。当該記憶モジュールと取得モジュール１０は、一体または別個に配置することができ、共に下りサブフレームにおける制御情報の配置情報を端末に知らせる。
【００７６】
受信モジュール２０は、送信側から送信されるユニットフレームを受信するものである。
【００７７】
復号化モジュール３０は、所定のサブフレームと配置情報に基づいて、ユニットフレームの制御情報を復号化するものである。
【００７８】
以上の説明から、基地局は、サブフレーム間隔または１６ｍサブフレームビットマップを設けて放送で端末に送信することが分かる。サブフレーム間隔または１６ｍサブフレームビットマップは、システム配置に要求される変換点の数、下り／上りサブフレームの比率、１６ｍ／１６ｅサブフレームの配置情報に応じて設定することができる。サブフレーム間隔をＭとする。Ｍは、１または２に設定することができ、１６ｍ下りサブフレームの比率が大きく、サービス遅延の要求が高くない場合は、３また４に設定することもできる。
【００７９】
復号化モジュール３０は、具体的に、所定のサブフレームの制御情報を復号化する、すなわち、上記ユーザ専用制御情報を必ず含むサブフレームを復号化する第１の復号化サブモジュール３２と、配置情報により決定された他のサブフレームの制御情報を復号化する、すなわち、サブフレーム間隔または１６ｍサブフレームビットマップ情報に基づいてユーザ専用制御情報を含む他のサブフレームを復号化する第２の復号化サブモジュール３４とを備える。
【００８０】
端末は、ユニットフレームを受信した後、ユニットフレームにおけるユーザ専用制御情報を必ず含むサブフレームの位置でユーザ専用制御情報を復号化し、上記サブフレーム間隔または１６ｍサブフレームビットマップ情報に基づいて、１６ｍサブフレーム間隔または１６ｍサブフレームビットマップから計算された、ユーザ専用制御情報を含む他のサブフレームの位置でユーザ専用制御情報を復号化する。ユーザ専用制御情報を必ず含むサブフレームの位置は、上述した方法実施例の所定のサブフレームの位置を参照することができる。所定のサブフレームは、上り／下り変換点の後の１番目の１６ｍ下りサブフレームである。すなわち、２つの変換点によるユニットフレームの場合、ユニットフレームの１番目の１６ｍ下りサブフレームであり、４つの変換点によるユニットフレームの場合は、フレーム構造における上り／下り変換点の後の１番目の下りサブフレームであり、すなわち、ユニットフレームの１番目の１６ｍ下りサブフレームのほかに、第２の上り／下り変換点の後の１番目の下りサブフレームの位置も含む。
【００８１】
以上のように、本発明の実施例の技術思想によれば、端末は、受信した制御情報のユニットフレームにおける配置情報に基づいて、ユーザ専用制御情報を含まず且つ当該端末に関する資源が割り当てられていないサブフレームの位置でＲＦ送信をオフにし、マイクロスリープモードに移行することができ、従来の１６ｍ端末の消費電力が過大になるという問題が解消され、端末の消費電力が低減されている。
【００８２】
なお、上述した本発明のモジュールまたはステップは、汎用のコンピュータ装置により実現することができ、単一のコンピュータ装置に集中して配置されてもよく、複数のコンピュータ装置からなるネットワークに配置されてもよい。好ましくは、コンピュータ装置が実行可能なプログラムコードにより実現可能である。これにより、記憶装置に記憶されてコンピュータ装置により実行されるか、それぞれを各々の集積回路モジュールに作成するか、その中の複数のモジュールまたはステップを単一の集積回路モジュールに作成することにより実現することができる。このように、本発明は、いずれかの特定のハードウェアとソフトウェアの組み合わせに限定されない。
【００８３】
以上は、本発明の好適な実施例に過ぎず、本発明を限定するものではない。当業者であれば、本発明の様々な変更や変形が可能である。本発明の精神や原則を逸脱しない如何なる変更、置換、改良なども本発明の保護範囲内に含まれる。
【図１】
2012501118.tif 000003
【図２】
2012501118.tif 000004
【図３ａ】
2012501118.tif 000005
【図３ｂ】
2012501118.tif 000006
【図３ｃ】
2012501118.tif 000007
【図４ａ】
2012501118.tif 000008
【図４ｂ】
2012501118.tif 000009
【図４ｃ】
2012501118.tif 000010
【図５ａ】
2012501118.tif 000011
【図５ｂ】
2012501118.tif 000012
【図５ｃ】
2012501118.tif 000013
【図６ａ】
2012501118.tif 000014
【図６ｂ】
2012501118.tif 000015
【図６ｃ】
2012501118.tif 000016
【図７】
2012501118.tif 000017
【図８】
2012501118.tif 000018
【図９】
2012501118.tif 000019
【国際調査報告】
2012501118.tif 000020
2012501118.tif 000021
2012501118.tif 000022
2012501118.tif 000023
2012501118.tif 000024
2012501118.tif 000025